(57)【要約】【課題】魚の当たりを待つ時には竿を支持する支脚を竿から突出させないようにすることができ、したがって、穂先を下げて魚の当たりを待つことができ、一方、魚の当たりがあった時に竿を持ち上げると支脚によって穂先を持ち上げた状態に簡単に置き直すことができる釣竿を提供することを目的とする。【解決手段】本発明の釣竿１は、釣竿１を支持するための支脚１２，１２が回動可能に取り付けられて成り、支脚１２，１２は、釣竿１から突出される位置と、釣竿に沿った位置との間で回動できるとともに、付勢体によって釣竿１から突出される位置へ向けて付勢されている。【選択図】図１
2012090588.tif 000002
【特許請求の範囲】
【請求項１】
釣竿を支持するための支脚が回動可能に取り付けられて成り、前記支脚は、釣竿から突出される位置と、釣竿に沿った位置との間で回動できるとともに、付勢体によって釣竿から突出される位置へ向けて付勢されていることを特徴とする釣竿。
【請求項２】
前記付勢体の付勢力に抗して前記支脚を釣竿に沿った位置に位置させた状態で釣竿を地面に置いた時には、釣竿の自重によって前記支脚が釣竿から突出される位置へと回動しないことを特徴とする請求項１に記載の釣竿。
【請求項３】
前記支脚は、少なくとも一対の支脚から成り、釣竿から突出される位置では、釣竿に沿った位置にあるときよりもその先端側が釣竿の左右に広がっていることを特徴とする請求項１または請求項２に記載の釣竿。
【請求項４】
前記支脚を釣竿に沿った位置で保持する回動規制体を有することを特徴とする請求項１ないし請求項３のいずれか１項に記載の釣竿。
【請求項５】
前記回動規制体は、釣竿に設けられて前記支脚と係合する係合部材であることを特徴とする請求項４に記載の釣竿。
【請求項６】
前記回動規制体は、前記支脚に設けられて釣竿と係合する係合部材であることを特徴とする請求項４に記載の釣竿。
【請求項７】
前記支脚が基体に回動可能に支持され、前記基体に前記回動規制体が設けられることを特徴とする請求項４に記載の釣竿。
【請求項８】
前記回動規制体の規制を解除する操作体が前記係合部材に設けられることを特徴とする請求項５に記載の釣竿。
【請求項９】
前記回動規制体の規制を解除する操作体が前記基体に設けられることを特徴とする請求項７に記載の釣竿。
【請求項１０】
前記係合部材が釣竿のリール取り付け部の近傍に設けられることを特徴とする請求項８に記載の釣竿。
【発明の詳細な説明】
【技術分野】
【０００１】
本発明は、釣竿に関し、特に釣竿を支持する支脚を備える釣竿に関する。
【背景技術】
【０００２】
一般に、釣り人は、釣りの最中に釣竿から手を離して釣り或いは釣りとは別の作業を行なうときなどにあっては、釣竿を竿掛けに係止させたり、あるいは、釣竿を地面に置くなどしている。
【０００３】
しかしながら、釣り場に竿掛けを持参すると、装備が大掛かりになり易く、一方、竿掛けを使用することなく釣竿を地面に載置すると、釣竿に傷が付いてしまったり、誤って釣竿を足で踏み付けてしまう虞もある。
【０００４】
そのため、従来においては、簡単な装備で釣りを行なうことができ、釣竿を地面に置いても傷が付かないように、クリップ等を用いて釣竿にワンタッチで装着されて釣竿を支持できる竿立てが提案されている。
【０００５】
例えば、特許文献１には、釣竿に取り付けるための切り欠きを有する筒状体に脚立部材（支脚）を取り付けて成る釣竿用竿立て器が開示されている。また、特許文献２には、クリップによって釣竿を挟持して支持する竿立てが開示されている。
【先行技術文献】
【特許文献】
【０００６】
【特許文献１】実開平４−８２９６７号
【特許文献２】実開平５−７０７８号
【発明の概要】
【発明が解決しようとする課題】
【０００７】
しかしながら、このような竿立てを用いて釣りを行なうと、釣竿の穂先側が持ち上がった状態になるため、釣竿の穂先から延びる釣糸が宙に浮いた状態になる。したがって、風がある時には、釣糸が風で引かれてしまい、魚が警戒してしまうという問題がある。
【０００８】
また、実際の釣りにおいては、魚の当たりを待つ際に、釣竿の穂先を下げて風の抵抗を受けないようにしたり、更には、穂先を水に浸けて釣糸が水中にある状態にして魚に警戒されないようにすることが行なわれており、また、その場合、小さな魚の当たりがあった時に、ゆっくりと穂先を持ち上げて釣糸と穂先の動きが見えるようにした状態で待機し、魚が十分に餌を食い込んで大きな当たりが確認された段階でその当たりに合わせるといった一連の操作が行なわれるが、前述した各特許文献では、竿立てによって釣竿の穂先側が持ち上がった状態で維持されてしまうため、このような一連の操作を行なうことが難しかった。
【０００９】
本発明は、前記事情に着目してなされたものであり、その目的とするところは、魚の当たりを待つ時には竿を支持する支脚を竿から突出させないようにすることができ、したがって、穂先を下げて魚の当たりを待つことができ、一方、魚の当たりがあった時に竿を持ち上げると支脚によって穂先を持ち上げた状態に簡単に置き直すことができる釣竿を提供することにある。
【課題を解決するための手段】
【００１０】
前記課題を解決するために、請求項１に記載の釣竿は、釣竿を支持するための支脚が回動可能に取り付けられて成り、前記支脚は、釣竿から突出される位置と、釣竿に沿った位置との間で回動できるとともに、付勢体によって釣竿から突出される位置へ向けて付勢されていることを特徴とする。
【００１１】
このような構成によれば、魚の当たりを待つ時には、付勢体の付勢力に抗するように支脚を釣竿に沿った位置に位置させることにより、支脚を竿から突出させないようにすることができ、したがって、穂先を下げて魚の当たりを待つことができ、一方、魚の当たりがあった時に竿を持ち上げると、付勢体によって釣竿から突出される位置へ向けて付勢される支脚により穂先を持ち上げた状態に簡単に置き直すことができる。この場合、付勢体の付勢力に抗して支脚を釣竿に沿った位置に位置させた状態で釣竿を地面に置いた時には、釣竿の自重によって支脚が釣竿から突出される位置へと回動しないことが好ましい。また、この場合、支脚は、少なくとも一対の支脚から成り、釣竿から突出される位置では、釣竿に沿った位置にあるときよりもその先端側が釣竿の左右に広がることが好ましい。
【００１２】
また、上記構成では、支脚を釣竿に沿った位置で保持する回動規制体が設けられても良い。この場合、回動規制体は、釣竿に設けられて支脚と係合する係合部材であっても良く、あるいは、支脚に設けられて釣竿と係合する係合部材であっても良い。係合部材が釣竿に設けられる場合、係合部材は釣竿のリール取り付け部の近傍に設けられることが好ましい。また、支脚が基体に回動可能に支持され、前記基体に回動規制体が設けられても良い。
【００１３】
また、上記構成では、回動規制体の規制を解除する操作体が前記係合部材または前記基体に設けられても良い。
【発明の効果】
【００１４】
本発明によれば、魚の当たりを待つ時には竿を支持する支脚を竿から突出させないようにすることができ、したがって、穂先を下げて魚の当たりを待つことができ、一方、魚の当たりがあった時に竿を持ち上げると支脚によって穂先を持ち上げた状態に簡単に置き直すことができる釣竿を提供することができる。
【図面の簡単な説明】
【００１５】
【図１】付勢体の付勢力に抗して支脚を釣竿に沿った位置に位置させて地面に沿わせて置いた状態の本発明の第１の実施形態に係る釣竿の全体側面図である。
【図２】図１の釣竿の支脚を突出させた状態で該釣竿を地面に置いた状態を示す側面図である。
【図３】図１の釣竿の脚部およびその近傍の拡大側面図である。
【図４】図３の脚部の拡大平面図である。
【図５】図１の釣竿の脚部の拡大断面図である。
【図６】図１の釣竿の係合部材の拡大断面図である。
【図７】本発明の第２の実施形態に係る釣竿の脚部および係合部材の拡大平面図である。
【図８】図７の係合部材の拡大断面図である。
【図９】本発明の第３の実施形態に係る釣竿の脚部の拡大側面図である。
【図１０】図９の脚部を釣竿の元部側から見た拡大背面図である。
【図１１】本発明の第４の実施形態に係る釣竿の脚部および係合部材の拡大側面図である。
【図１２】図１１の係合部材の断面を含む拡大側面図である。
【図１３】付勢体の付勢力に抗して支脚を釣竿に沿った位置に位置させて地面に沿わせて置いた状態の本発明の第５の実施形態に係る釣竿の全体側面図である。
【図１４】図１３の釣竿の支脚を突出させた状態で該釣竿を地面に置いた状態を示す側面図である。
【図１５】図１３の釣竿の脚部およびその近傍の拡大側面図である。
【図１６】図１３の釣竿の係合部材の拡大断面図である。
【図１７】付勢体の付勢力に抗して支脚を釣竿に沿った位置に位置させて地面に沿わせて置いた状態の本発明の第６の実施形態に係る釣竿の全体側面図である。
【図１８】図１７の釣竿の支脚を突出させた状態で該釣竿を地面に置いた状態を示す側面図である。
【図１９】図１７の釣竿の脚部の平断面図である。
【発明を実施するための形態】
【００１６】
以下、添付図面を参照して、本発明に係る釣竿の実施形態について説明する。
【００１７】
図１ないし図６は本発明の第１の実施形態を示している。図１に示されるように、本実施形態の釣竿１は、例えば磯や防波堤で使用される外ガイド付きの振り出し竿であり、穂先側の複数の竿杆が元竿側の竿杆内に順次収納可能に形成されている。具体的には、釣竿１は、穂先２を有する先竿（竿杆）４と、元竿（竿杆）５とから成っており、これらの竿杆にはそれぞれ穂先も含めて必要な数の釣糸ガイド３が設けられている。また、元竿５には釣用リール９を装着可能なリールシート（リール取り付け部）７が設けられており、その後端側には握持部としてのハンドル８が設けられている。
【００１８】
また、図１および図２に示されるように、元竿５の中程には、釣竿１の自立構造を実現するための脚部１０が設けられている。この脚部１０は釣竿１の外方に突設されており、釣竿１の元部（本実施形態では、ハンドル８の手元側端部）を地面５０に置いたときにこの脚部１０によって釣竿１の穂先２側を立ち上げて支持することが可能になっている（図２参照）。具体的に、脚部１０は、元竿（竿杆）５に一体的に固定される基体としての釣竿装着部１４と、釣竿装着部１４に回動可能に支持される一対の支脚１２，１２とから成り、支脚１２，１２は、一対で一組の支脚を形成し、以下で詳しく説明するように、釣竿１の竿杆から外方へ突出される位置（図２の位置；突出状態）と、竿杆に沿って添設される（釣竿に沿った）位置（図１に実線で示される位置；倒伏状態または収納状態）との間で回動できるようになっている。なお、脚部１０は、リールシート７にリール９を取り付けて支脚１２，１２を立ち上げた突出状態としたときは、リール９が地面５０に接地されないように且つリール９から延びる釣糸６が一対の支脚１２，１２間を通過するように釣竿１を支持する。なお、支脚１２，１２は、釣竿１を支持できる突出される位置よりも釣竿の長手方向に延設方向が近づいて通常の釣竿の使用を邪魔しない程度であれば釣竿１に沿った位置とする。
【００１９】
また、本実施形態において、脚部１０は、釣竿１（釣りができるように釣竿１を伸ばした状態）の重心Ｇの位置（リール９などが装着されていない釣竿１単体での重心位置；図２参照）よりも穂先２側に設けられる。これにより、釣竿１の元部を地面に置いたときに、脚部１０の先端部が地面に当接して釣竿１を支持することによって釣竿１の穂先２側を立ち上げた状態で支持することができる。つまり、脚部１０の設置位置を釣竿１の重心Ｇの位置よりも穂先２側にすることにより、釣竿１をそのまま地面５０に載置しても、釣竿１を安定して支持することができ、更に、リールシート７にリール９等を取り付ければ、その重さによって釣竿１の重心Ｇの位置が釣竿１の元部側へと更に移行するため、釣竿１を更に安定して支持することが可能になる。なお、脚部１０を釣竿１の重心Ｇよりも元部側に設けても良く、このようにした時は、釣竿１を地面に置いた時に、より穂先を下げやすくなる。
【００２０】
図３ないし図５に示されるように、脚部１０の釣竿装着部１４は、元竿５を上下から挟み込むことにより釣竿１に一体に取り付いている。具体的には、釣竿装着部１４は、上側挟持体１１と下側挟持体１３とから成り、上側挟持体１１と下側挟持体１３との間で元竿５が挟持される。上側挟持体１１および下側挟持体１３の挟持状態は、これらの挟持体１１，１３をネジ部材１５によって互いに結合することにより、あるいは、挟持体１１，１３同士を接着結合することにより保持される。これにより、脚部１０全体が竿杆の長手方向へ移動することなく且つ竿杆に対して回動することなく釣竿１に一体的に固定される。
【００２１】
脚部１０の基体としての釣竿装着部１４から延びる支脚１２，１２は、左右一対形成されており、下側挟持体１３と一体に形成されて左右に延びる回動軸１６に対して回動可能に枢着されている（図５参照）。この場合、回動軸１６は、その中心軸Ｏ（および、その先端）が上方（図５参照）および後方（図４参照）を向くように傾斜している。したがって、一対の支脚１２，１２は、図４に示される収納状態から図２に示される状態へと突出すると、図４に矢印で示されるようにその先端が互いに離れるようにそれぞれ左右方向に開き（支脚１２，１２の先端は、収納（倒伏）状態よりも突出状態の方が左右に広がる）、逆に収納状態へと回動すると、釣竿の左右側面に沿うようになる。
【００２２】
なお、図５に明確に示されるように、脚部１０には、支脚１２，１２を突出状態（左右に開く方向）へと付勢する付勢体１９が設けられている。本実施形態において、この付勢体１９は、バネ部材で、具体的には回動軸１６の外周に巻回装着されるコイルバネであり、各支脚１２を回動軸１６の先端へ向けて付勢している。そのため、回動軸１６の各先端には、付勢される支脚１２の回動軸１６からの抜けを防止するために抜け止め部材１７が設けられている。なお、付勢体１９の付勢力は、付勢体１９の付勢力に抗して支脚１２，１２を釣竿１に沿った位置或いはほぼ沿った位置に位置させた状態で釣竿１を地面に置いた時（例えば図１参照）に釣竿１の自重によって支脚１２，１２が釣竿１から突出される位置へと回動しないような大きさに設定される。
【００２３】
また、本実施形態において、釣竿１は、竿杆に沿って添設される支脚１２，１２の倒伏（収納）状態（図３および図４に実線で示される位置）を保持する、すなわち、この倒伏（収納）状態からの支脚１２，１２の回動を規制する回動規制体としての係合部材２０を備えている。この係合部材２０は、ハンドル８の前方側であってリールシート７の前端近傍の元竿５に設けられており、図６に詳しく示されるように、元竿５の外周に嵌着固定される取付筒体２０ｂと、取付筒体２０ｂの両側に一体に形成される係合部としての逆Ｕ字形状の可撓性ホルダ部２０ａとから成る。可撓性ホルダ部２０ａは、下向きに開放する開口２２と、凹状の保持部１８とを有している。
【００２４】
したがって、この構成では、突出状態にある支脚１２，１２は、図６に示されるように（二点鎖線および実線参照）、下方を向いたホルダ部２０ａの開口２２を通じて下側からホルダ部２０ａの可撓性を利用して保持部１８内に嵌め込まれる（押し込まれる）ことにより、元竿５の左右側面に沿って添設される（突出状態から折り畳まれる）収納状態に保持される（図４および図６の実線参照）。このような収納は、釣竿１（リール９）を握持する手１００もしくはリール９を手で握持しながらもう一方の手で行なうことができる。一方、支脚１２，１２のこの収納状態から突出状態への移行は、係合部材２０の弾性的な係合作用と前述した付勢体１９による付勢作用とによってスムーズに行なわれる。すなわち、図３に示されるように、収納状態にある支脚１２，１２の先端を、釣竿１を握持する手１００の例えば親指１００ａで下向きに押圧すると、可撓性を有するホルダ部２０ａが拡径し、係合部材２０に対する支脚１２，１２の係合状態が解除される。このとき、解除された支脚１２，１２は、付勢体１９の付勢作用によって自動的に左右に開いて立ち上がった状態に突出する。なお、リールを握持する手１００の指１００ａによるこのような支脚１２，１２の回動規制（収納状態）の容易な解除は、リールを握持する手１００が収納状態の支脚１２，１２に届くように釣竿１に脚部１０を設けたこと、すなわち、係合部材２０がハンドル８の前方側であってリールシート７の前端近傍の元竿５に設けられているために実現できるものである。
【００２５】
以上説明したように、本実施形態の釣竿１によれば、釣竿１を支持するための少なくとも一対の支脚１２，１２が回動可能に取り付けられて成り、支脚１２，１２が、釣竿１から突出される位置と、釣竿１に沿った位置との間で回動できるとともに、付勢体１９によって釣竿１から突出される位置へ向けて付勢されているため、魚の当たりを待つ時には、係合部材２０との係合が解除された支脚１２，１２を図１に示されるべく付勢体１９の付勢力に抗するように釣竿１にほぼ沿った位置に倒伏させることにより、支脚１２，１２を竿から突出させないようにする（図１では、突出方向に付勢された支脚１２，１２が地面５０でつっかえている）ことができ、したがって、穂先２を下げて魚の当たりを待つことができる。すなわち、釣竿１の穂先２を下げて風の抵抗を受けないようにしたり、更には、穂先を水に浸けて釣糸６が水中５１にある状態にして魚に警戒されないようにすることができる。このような釣竿１の設置形態は、付勢体１９の付勢力に抗して支脚１２，１２を釣竿１に沿った位置或いはほぼ沿った位置に位置させた状態で釣竿１を地面に置いた時に釣竿１の自重によって支脚１２，１２が釣竿１から突出される位置へと回動しないようになっているからこそ実現できるものである。
【００２６】
一方、図１の状態から魚の当たりがあって釣竿１を持ち上げると、支脚１２，１２が地面５０との拘束を解かれて付勢体１９の付勢力により釣竿１から突出される位置へ向けて左右に開いて立ち上がるため、穂先２を持ち上げた状態に簡単に置き直すことができる。すなわち、小さな魚の当たりがあった時に、ゆっくりと穂先２を持ち上げて釣糸６と穂先２の動きが見えるようにした状態で待機し、魚が十分に餌を食い込んで大きな魚の当たりが確認された段階でその当たりに合わせるといった一連の操作を容易に行なうことができる。なお、図１および図２に示されるようにリール９を下向きにした場合には、釣竿１をバランス良く支持することができ、釣竿１を持ち上げたその態勢でそのままリール９の巻き取り操作を行なうことができ好都合である。
【００２７】
また、本実施形態では、自立構造を実現するための脚部１０が釣竿１に突設されているため、装着の手間がかからない操作性の良好な釣竿自立作業操作が実現可能になるとともに、釣竿１の元部を地面５０に置いたときに脚部１０が穂先側を立ち上げた状態で釣竿を支持するようになっているため、脚部が釣りの邪魔にならず、また、釣竿１を傷付けずに地面に設置することが可能になる。また、脚部１０が釣竿１の重心Ｇの位置よりも穂先２側に設けられているため、釣竿１の元部を地面５０に置いたときに、穂先２側を立ち上げた状態で釣竿を安定して地面に設置することができ、釣竿１の倒れを防止することができる。更に、支脚１２，１２を釣竿１の竿杆（元竿５）の左右側面に沿って添設させることができるため、その添設状態では、支脚１２，１２が実釣時の釣竿１の撓りを邪魔せず、また、キャスティングなど釣りを行なっている最中に支脚１２，１２が邪魔になることもない。
【００２８】
図７および図８は本発明の第２の実施形態を示している。図示のように、本実施形態では、回動規制体としての係合部材２０Ａが釣竿１側ではなく脚部１０側に設けられている。具体的には、本実施形態の係合部材２０Ａは、支脚１２，１２の先端部に設けられており、支脚１２，１２の外周に嵌着固定される取付筒体２５と、取付筒体２５の片側に一体に形成される係合部としての略Ｕ字形状の可撓性ホルダ部２３とから成る。可撓性ホルダ部２３は、上向きに開放する開口２６と、凹状の保持部２４とを有している。
【００２９】
したがって、このような構成では、突出状態にある支脚１２，１２は、図８に示されるように（二点鎖線および実線参照）、ホルダ部２３の可撓性を利用して保持部２４内に元竿５が嵌め込まれる（押し込まれる）ように釣竿１の下側からホルダ部２３を元竿５の外周に嵌め付けることにより、元竿５の左右側面に沿って添設される（突出状態から折り畳まれる）収納状態に保持される（図７の実線参照）。つまり、脚部１０に設けられた係合部材２０Ａは、リールシート７の前端近傍で釣竿１に係合される。したがって、第１の実施形態と同様、支脚１２，１２の回動規制（収納状態）を手の指によって容易に解除できる。
【００３０】
図９および図１０は本発明の第３の実施形態を示している。図示のように、本実施形態では、支脚１２，１２の収納状態からの回動を規制する回動規制体が脚部１０の基体である釣竿装着部１４に設けられている。また、特に、本実施形態では、支脚１２，１２の突出状態を保持する、すなわち、所定の突出位置からの支脚１２，１２の更なる突出回動を規制する第２の回動規制体も釣竿装着部１４に設けられている。具体的には、支脚１２，１２の収納状態からの回動を規制する第１の回動規制体は、釣竿装着部１４の下側挟持体１３から下方に延びる延出部３９の両側で左右に向けて突出する係合突部３２によって形成される。この係合突部３２は、収納状態の支脚１２，１２を下側から支持してその収納状態を保持する（図９の二点鎖線参照）。一方、支脚１２，１２の突出状態を保持する第２の回動規制体は、釣竿装着部１４の下側挟持体１３に設けられ且つ支脚１２，１２の所定の突出位置で支脚１２，１２と当接する当接面３０として形成される。突出状態の支脚１２，１２は、当接面３０がストッパとなって回動を阻止し、支脚１２，１２の突出状態が維持されるようになっている。なお、本実施形態において、支脚１２，１２は、係合突部３２を乗り越えて収納状態と突出状態との間で移行するようになっている。そのため、係合突部３２が弾性変形可能に形成され、あるいは、付勢体１９の付勢力に抗して支脚１２，１２が偏移することにより係合突部３２を乗り越えても良い。なお、本構成では、回動規制体（係合突部３２）による回動規制を解除できる操作体（図示せず）を基体である釣竿装着部１４に設けても良い。
【００３１】
図１１および図１２は本発明の第４の実施形態を示している。図示のように、本実施形態では、第１の実施形態と同様に支脚１２，１２の収納状態からの回動を規制する回動規制体が係合部材２０Ｂとして釣竿１側に設けられるとともに、回動規制体（係合部材２０Ｂ）による回動規制をそのスイッチ操作によって解除できるようになっている。
【００３２】
具体的には、係合部材２０Ｂは、ハンドル８の前方側であってリールシート７の前端近傍の元竿５に設けられており、図１２に明確に示されるように、元竿５の外周に嵌着固定される取付筒体４１と、取付筒体４１の下側に一体に突設された突設部５９に設けられる係脱機構とによって構成される。前記係脱機構は、突設部５９に形成された軸孔５７（釣竿１の長手方向に延びている）内で進退可能な係合突部４２と、軸孔５７内に設けられ且つ係合突部４２を軸孔５７から突出させる方向（係合突部４２を支脚１２，１２と係合させる方向）に付勢する付勢部材（本実施形態では、バネ）４５と、係合突部４２からこれに対して直交する方向に延出形成され且つ突設部５９の下面に形成された長溝５９ａを通じて外部（下方）に突出する操作体としてのスイッチ４３とを含んでいる。
【００３３】
したがって、この構成では、図示のように係合突部４２によって収納状態の支脚１２，１２を下側から支持してその収納状態を保持することができる。一方、図１２に矢印で示されるようにリール９を握持した手１００の例えば人差し指１００ｂでスイッチ４３を後方に引き寄せると、係合突部４２と支脚１２，１２との係合状態を解除することができ、解除された支脚１２，１２は、第１の実施形態と同様、付勢体１９の付勢作用により自動的に左右に開いて突出する。なお、スイッチ４３は、スライド式の他、押しボタン式としても良く、また、リールシート７のリール装着側（下側）の他、リール装着側と反対の側（上側）に設けても良く、本実施形態に限定されない。
【００３４】
図１３ないし図１６は本発明の第５の実施形態を示している。図示のように、本実施形態では、脚部１２，１２の配置形態が第１の実施形態と逆になっており、図１３および図１４に示されるようにリール９を上向きにした状態で釣竿１を支持できるようになっている。すなわち、第１の実施形態では、支脚１２，１２が釣竿１に沿った位置から釣竿１の釣糸ガイド３側（リール９側）で回動するようになっていたが、本実施形態では、支脚１２，１２が釣竿１に沿った位置から釣竿１の釣糸ガイド３側（リール９側）と反対側で回動するように脚部１０が釣竿１に対して設けられている。具体的には、本実施形態の脚部１０は、その釣竿装着部１４が第１の実施形態の取り付け方向に対して１８０°回転された方向で釣竿１に装着されており、その構造自体は第１の実施形態と同じである。
【００３５】
一方、本実施形態では、支脚１２，１２を釣竿１に沿った位置に保持するための回動規制体の構成が第１の実施形態と異なる。すなわち、本実施形態の回動規制体は係合部材２０Ｃとして釣竿１側に設けられるとともに、回動規制体（係合部材２０Ｃ）による回動規制をスライドカバー操作体８２によって解除できるようになっている。
【００３６】
具体的には、係合部材２０Ｃは、ハンドル８の前方側であってリールシート７の前端近傍の元竿５に設けられており、図１６に明確に示されるように、元竿５の外周に嵌着固定される取付筒体８１と、取付筒体８１の上側に一体に突設された突設部８９に設けられる係脱機構とによって構成される。前記係脱機構は、突設部８９に形成された軸孔８７（釣竿１の長手方向に延びている）内で進退可能な軸部８２ａを有する円筒状のスライドカバー操作体８２と、軸孔８７内に設けられ且つ軸部８２ａを軸孔８７から突出させる方向（カバー操作体８２を支脚１２，１２と係合させる方向）に付勢する付勢部材（本実施形態では、バネ）８５とを含んでいる。なお、スライドカバー操作体８２の内孔８２ｂは、支脚１２，１２を受け入れ挿入できる内径に設定されている。
【００３７】
したがって、この構成では、図１５および図１６に示されるようにスライドカバー操作体８２によって支脚１２，１２を上側から支持してその収納状態を保持することができる（図１５の実線および図１６の二点鎖線参照）。すなわち、例えばリール（スピニングリール）９を下向きにした通常の釣り態勢（図１５および図１６参照）では、付勢体１９の付勢力により支脚１２，１２が（釣竿１から突出される位置へ向けて）上向きに回動しようとするが、その回動は、支脚１２，１２がスライドカバー操作体８２の内孔８２ｂ内に挿入されて係合されることにより阻止される。すなわち、釣竿１に沿った支脚１２，１２の収納状態が保持される。一方、図１６に矢印で示されるようにリール９を握持した手１００の例えば親指１００ｃでスライドカバー操作体８２を後方（釣竿の軸方向）に引き寄せると、スライドカバー操作体８２と支脚１２，１２との係合状態を解除することができ、解除された支脚１２，１２は、付勢体１９の付勢作用により自動的に回動し左右に開いて突出する（図１５および図１６の釣り態勢では、支脚１２，１２が上向きに回動する）。この時、支脚１２，１２のそれぞれの先端は、釣竿１に沿った位置にある時よりも釣竿１の左右に距離をおいて（開いて）位置するため、釣竿１を安定して支持できる。なお、スライドカバー操作体８２の取り付け位置は、リールを把持する手の指で操作できる位置であることが好ましいが、そのような位置に設置されていない場合にはスライドカバー操作体８２を他方の手で操作すれば良い。
【００３８】
以上のように、本実施形態においても、第１の実施形態と同様の作用効果を得ることができる。すなわち、魚の当たりを待つ時には、係合部材２０Ｃとの係合が解除された支脚１２，１２を図１３に示されるべく付勢体１９の付勢力に抗するように釣竿１にほぼ沿った位置に倒伏させることにより、支脚１２，１２を竿から突出させないようにする（図１３では、突出方向に付勢された支脚１２，１２が地面５０でつっかえている）ことができ、したがって、穂先２を下げて魚の当たりを待つことができる。すなわち、釣竿１の穂先２を下げて風の抵抗を受けないようにしたり、更には、穂先を水に浸けて釣糸６が水中５１にある状態にして魚に警戒されないようにすることができる。このような釣竿１の設置形態も、付勢体１９の付勢力に抗して支脚１２，１２を釣竿１に沿った位置或いはほぼ沿った位置に位置させた状態で釣竿１を地面に置いた時に釣竿１の自重によって支脚１２，１２が釣竿１から突出される位置へと回動しないようになっているからこそ実現できるものである。一方、図１３の状態から魚の当たりがあって釣竿１を持ち上げると、支脚１２，１２が地面５０との拘束を解かれて付勢体１９の付勢力により釣竿１から突出される位置へ向けて左右に開いて立ち上がるため、穂先２を持ち上げた状態に簡単に置き直すことができる。すなわち、小さな魚の当たりがあった時に、ゆっくりと穂先２を持ち上げて釣糸６と穂先２の動きが見えるようにした状態で待機し、魚が十分に餌を食い込んで大きな当たりが確認された段階でその当たりに合わせるといった一連の操作を容易に行なうことができる。なお、本実施形態のように、リール９を上向きにした状態で脚部１０により釣竿１を支持できるようになっていると、魚の当たりが分かり易い。すなわち、釣糸６の動きやリールのスプールの逆転などの変化によって魚の当たりを容易に認識できる。また、リール操作に不慣れな初心者等は、リールのハンドル位置などを目で確認してから操作できるため都合が良い。
【００３９】
図１７ないし図１９は本発明の第６の実施形態を示している。図示のように、本実施形態は、前述した実施形態よりも脚部構造が更に簡略化された実施形態を示している。本実施形態の釣竿１Ａは、振り出し式の延べ竿（外ガイドが無い）であり、穂先２と、中間竿４Ａ，４Ｂと、元竿５とから成る。簡略的な構造を有する脚部１０Ａは、筒状の基体１４Ａと、基体１４Ａに対して回動可能に取り付けられる左右一対の支脚１２，１２とを有している。なお、この釣竿１Ａはリールシートを有しておらず、このようにリールを取り付けない釣竿においても本発明を実施することができる。
【００４０】
具体的には、基体１４Ａは、元竿５の先端側に取り付け固定されており、左右に突出する回動軸１６を有する。左右それぞれの回動軸１６には、回動可能な支脚１２，１２が抜け止め（回動軸１６の先端が大径になっているため、支脚１２，１２が抜け止めされる）されて支持されている（図１９には、支脚１２，１２の収納状態が二点鎖線で、突出状態が実線でそれぞれ示されている）。基体１４Ａと支脚１２，１２とにはそれぞれ、支脚１２，１２の突出状態と収納状態とをそれぞれ保持する回動規制体としての凹凸部６３ａ，６３ｂが設けられている。本実施形態では、例えば、突出位置および収納位置のそれぞれに対応して基体１４Ａの左右の両側面に凸部６３ａが設けられ、また、基体１４Ａの側面と対向する支脚１２の側面部位に凸部６３ａと係脱自在に係合可能な凹部６３ｂが設けられる。
【００４１】
なお、凹凸部６３ａ，６３ｂの係脱は、それが形成される材料の可撓性によってなされることが好ましい。なお、回動軸１６は、前述した各実施形態と同様、その先端（中心軸）が元竿の後端を向くように傾斜して設けられており、したがって、支脚１２，１２を突出させると支脚１２，１２が左右に開き、一方、支脚１２，１２を収納すると該支脚が釣竿１に沿うようになる。また、本実施形態では、釣竿１の元部を地面５０に置いたときに釣竿１が安定して転がらないように、脚部１０Ａが突出する側に対応する元部、例えば元竿５の手元端に取り付けられる尻栓６０の側面部位に、平面状の接地部６０ａが形成されている。
【００４２】
また、脚部１０Ａには、支脚１２，１２を突出状態（左右に開く方向）へと付勢する付勢体１９Ａが設けられている。本実施形態において、この付勢体１９Ａは、バネ部材で、具体的には回動軸１６の外周に巻回装着されるコイルバネであり、各支脚１２を回動軸１６の先端へ向けて付勢している。
【００４３】
このような構成でも、第１の実施形態と同様、魚の当たりを待つ時には、凹凸部６３ａ，６３ｂの係合が解除された支脚１２，１２を図１７に示されるべく付勢体１９Ａの付勢力に抗するように釣竿１にほぼ沿った位置に倒伏させることにより、支脚１２，１２を竿から突出させないようにする（図１７では、突出方向に付勢された支脚１２，１２が地面５０でつっかえている）ことができ、したがって、穂先２を下げて魚の当たりを待つことができる。一方、図１７の状態から魚の当たりがあって釣竿１を持ち上げると、支脚１２，１２が地面５０との拘束を解かれて付勢体１９Ａの付勢力により釣竿１から突出される位置へ向けて左右に開いて立ち上がるため、穂先２を持ち上げた状態に簡単に置き直すことができる。すなわち、小さな魚の当たりがあった時に、ゆっくりと穂先２を持ち上げて釣糸６と穂先２の動きが見えるようにした状態で待機し、魚が十分に餌を食い込んで大きな魚の当たりが確認された段階でその当たりに合わせるといった一連の操作を容易に行なうことができる。
【００４４】
以上、本発明の様々な実施形態を説明してきたが、本発明はこれらの実施形態に限定されず、その要旨を逸脱しない範囲で種々変形して実施できることは言うまでもない。例えば、係合部材、脚部の形状は前述した実施形態のそれに限定されず、他の形状を有することができる。また、支脚は２本（一対）に限らず、３本以上であっても良く、１個（１本）で形成しても良い。また、支脚は、先端が元部側を向いて収納されるように回動する構成に限定されず、例えば穂先側を向いて収納されるように回動する構成でも良い。
【符号の説明】
【００４５】
１  釣竿
２  穂先
７  リール取り付け部
１０，１０Ａ  脚部
１２  支脚
１４  釣竿装着部（基体）
１９，１９Ａ  付勢体
２０，２０Ａ，２０Ｂ，２０Ｃ  係合部材
【図１】
2012090588.tif 000003
【図２】
2012090588.tif 000004
【図３】
2012090588.tif 000005
【図４】
2012090588.tif 000006
【図５】
2012090588.tif 000007
【図６】
2012090588.tif 000008
【図７】
2012090588.tif 000009
【図８】
2012090588.tif 000010
【図９】
2012090588.tif 000011
【図１０】
2012090588.tif 000012
【図１１】
2012090588.tif 000013
【図１２】
2012090588.tif 000014
【図１３】
2012090588.tif 000015
【図１４】
2012090588.tif 000016
【図１５】
2012090588.tif 000017
【図１６】
2012090588.tif 000018
【図１７】
2012090588.tif 000019
【図１８】
2012090588.tif 000020
【図１９】
2012090588.tif 000021